(57)【特許請求の範囲】
【請求項１】
按摩や指圧の際、親指に着用されて親指の関節が過伸展または過外転することを防止する親指補助器具において、
親指の第２区間７２０の上部を支持するように内周面が半円形に屈曲され、下部に挿入される親指の第２区間７２０の太さによって内周のサイズを調節することができるサイズ調節具１１０が備えられた第１支持板１００と、
前記第１支持板１００と一体的に先端部から一定角度で下向きに屈曲されて前方に突設され、親指の第１区間７１０の上部を支持するように内周面が半円形に形成され、中央に多数の固定孔２１０が形成された第２支持板２００と、
前記第１支持板１００と一体的に後端部から一定角度で下向きに屈曲されて後方に突設され、親指の第３区間７３０の上部を支持するように内周面が半円形に形成され、後端部に上向きに屈曲された屈曲部３１０が形成された第３支持板３００と、
前記第２支持板２００の内周面に密着するように半円形に形成された本体４１０の中央上部に、第２支持板２００の中央に形成された固定孔２１０に結合される固定突起４２０が上向きに突設され、親指の第１区間７１０の爪に加わる力が均等に分散されるようにする爪支持板４００と、
前記第２支持板２００の上部に一定間隔で上向きに多数が突設され、第１支持板１００から第２支持板２００が上向きに屈曲されることを防止する第１屈曲防止突起５００と、
前記第３支持板３００の上部に一定間隔で上向きに多数が突設され、第１支持板１００から第３支持板３００が上向きに屈曲されることを防止する第２屈曲防止突起６００と、を含んでなることを特徴とする、指圧用親指補助器具。
【請求項２】
前記第１支持板１００のサイズ調節具１１０は、
第１支持板１００の一側に備えられた結合孔１１１と、
前記第１支持板１００の他側下部に第１支持板１００と一体的に突設され、中央に移送孔１１２ａが形成された締付けバンド１１２と、
一側が外部に開放され、前記結合孔１１１に結合されて固定される結合突起１１３ａが両側に突設された固定本体１１３と、
前記固定本体１１３の内部に収納され、外周面に前記締付けバンド１１２の移送孔１１２ａに結合される移送突条１１４ａが螺旋状に突設された回転ボルト１１４と、
前記回転ボルト１１４の上部に設けられ、回転ボルト１１４を回転させるようにする回転取っ手１１５と、を含んでなることを特徴とする、請求項１に記載の指圧用親指補助器具。
【請求項３】
前記第２支持板２００は、先端部に、着用者の親指の長さによって切断することができる切断部２２０を含むことを特徴とする、請求項１に記載の指圧用親指補助器具。
【請求項４】
前記第３支持板３００は、
中央上部に、内部が貫通されて上向きに突設されたバンドホルダ３２０と、
前記バンドホルダ３２０の内部に挿入され、両端が手の平と手の甲を取り囲み、ベルクロテープ３３１で固定されることにより、第３支持板３００が親指の第３区間７３０の上部から離隔しなくて密着した状態を維持するように固定する固定バンド３３０と、を含むことを特徴とする、請求項１に記載の指圧用親指補助器具。
【請求項５】
前記第１支持板１００から下向きに屈曲された第２支持板２００の角度（θ１）が５°〜１０°であることを特徴とする、請求項１に記載の指圧用親指補助器具。
【請求項６】
前記第１支持板１００から下向きに屈曲された第３支持板３００の角度（θ２）が１０°〜２０°であることを特徴とする、請求項１に記載の指圧用親指補助器具。
【発明の詳細な説明】
【技術分野】
【０００１】
本発明は指圧用親指補助器具に係り、より詳しくは按摩や指圧を施術するとき、親指に着用され、加圧によって親指が過伸展や過外転の状態になることを防止することで、関節及び筋肉が弛緩して発生する痛症と関節の損傷を前もって防止するとともに長期間にわたって按摩や指圧を施術することができる指圧用親指補助器具に関するものである。
【背景技術】
【０００２】
近年、健康に対する関心が増大して、大勢の人が筋肉、関節、内蔵の変調を調整してその機能を高め、神経の興奮を静める手技療法として、医療補助療法の１種でもある按摩（ｍａｓｓａｇｅ）の施術を受けるか、親指や手の平などで体表面の一定部位を圧迫することで、生体の変調を矯正するか、健康の増進または疾病の治療をはかる手枝療法である指圧（Ａｃｕｐｒｅｓｓｕｒｅ）などの施術を受けている。
【０００３】
このような按摩は、不眠、頭痛、高血圧、血液及び体液の循環障害、筋肉と関節の物理的機能異常、各種の神経痛と交感神経の失調、かつ消化器、泌尿器などの機能障害の回復に効果があると知られており、指圧は皮膚の機能を活発にし、血液循環を促進し、筋肉組織を柔軟化させ、骨格を矯正して内分泌を調節し、内蔵器官の正常化に効果があると知られている。
【０００４】
このように、近年には大勢の人が健康と治療の目的で施術を受ける按摩や指圧は主に親指を用いて施術することになる。この際、親指は感覚がすぐれて患部を感知する機能に優れ、加圧の強弱を適切に調節しやすくて治療効果を極大化することができるので、按摩や指圧を身体全般にわたって施術するとき、施術の基本となる重要な役割を果たしている。
【０００５】
前記のような按摩や指圧は、図１に示すように、親指を用いて患部を加圧することになる。この際、親指を加圧する力は普通２ｋｇ（軽圧）、４ｋｇ（中圧）、６ｋｇ（強圧）の３種の力で指圧することになる。
【０００６】
しかし、このように施術するとき、特に６ｋｇの強圧で施術するとき、親指は過伸展（Ｈｙｐｅｒ−ｅｘｔｅｎｓｉｂｉｌｉｔｙ）と過外転（Ｈｙｐｅｒ−ａｂｄｕｃｔｉｏｎ）の状態になり、親指の第１区間１０、第２区間２０及び第３区間３０とともに親指の第一関節４０及び第２関節５０の筋肉と靭帯に負荷がかかって痛症が引き起こされる問題点があった。
【０００７】
一般に、按摩や指圧を施術するとき、親指の第一関節が広がる角度（以下、伸展角度という）は０°を維持することになり、親指の第２関節の伸展角度は１０°を維持することになる。この際、前記角度より大きな角度で広がるか屈折されるとき、つまり過伸展になるとき、親指の関節と筋肉に痛症が誘発される。
【０００８】
そして、親指の第２関節が過外転して筋肉や靭帯が損傷される問題点があった。
【０００９】
また、前記のように過伸展や過外転の状態が長期間持続すれば、親指の関節と靭帯が損傷され、それ以上施術することができなくなる問題点があった。
【００１０】
一方、前記のように親指の関節、筋肉、靭帯が損傷されたとき、病院などの機関での物理治療の際に、親指に補助器具を着用することになる。前記のような従来の親指補助器具は、親指を保護するために関節を動かすことができないように固定する機能の外には機能がないため、治療用にだけ使用される問題点があった。
【００１１】
特に、近年には、前記のように按摩や指圧を施術するとき、親指に着用されて強い力で加圧する親指が過伸展や過外転の状態になって親指の関節、筋肉または靭帯が損傷されることを前もって防止して、長期間にわたって按摩や指圧を施術することができる補助器具が切実に必要とされているのが実情である。
【発明の概要】
【発明が解決しようとする課題】
【００１２】
本発明は前記のような問題点を解決するために、按摩または指圧の施術の際に親指に着用され、加圧によって親指が過伸展や過外転の状態になることを防止することにより、関節と筋肉が弛緩して発生する痛症と関節の損傷を前もって防止するとともに長期間にわたって按摩や指圧を施術することができる指圧用親指補助器具を提供することに目的がある。
【００１３】
また、本発明は、按摩や指圧の分野に携わる職業人で、長期間にわたって按摩や指圧を施術する人の親指の関節、筋肉及び靭帯の痛症と損傷を防止して職業による疾患を予防することができる指圧用親指補助器具を提供することに他の目的がある。
【００１４】
また、本発明は、構造が簡単で生産性を向上させることができる指圧用親指補助器具を提供することにさらに他の目的がある。
【課題を解決するための手段】
【００１５】
本発明は、按摩や指圧の際、親指に着用されて親指の関節が過伸展または過外転することを防止する親指補助器具において、
【００１６】
親指の第２区間７２０の上部を支持するように内周面が半円形に屈曲され、下部に挿入される親指の第２区間７２０の太さによって内周のサイズを調節することができるサイズ調節具１１０が備えられた第１支持板１００と、
【００１７】
前記第１支持板１００と一体的に先端部から一定角度で下向きに屈曲されて前方に突設され、親指の第１区間７１０の上部を支持するように内周面が半円形に形成され、中央に多数の固定孔２１０が形成された第２支持板２００と、
【００１８】
前記第１支持板１００と一体的に後端部から一定角度で下向きに屈曲されて後方に突設され、親指の第３区間７３０の上部を支持するように内周面が半円形に形成され、後端部に上向きに屈曲された屈曲部３１０が形成された第３支持板３００と、
【００１９】
前記第２支持板２００の内周面に密着するように半円形に形成された本体４１０の中央上部に、第２支持板２００の中央に形成された固定孔２１０に結合される固定突起４２０が上向きに突設され、親指の第１区間７１０の爪に加わる力が均等に分散されるようにする爪支持板４００と、
【００２０】
前記第２支持板２００の上部に一定間隔で上向きに多数が突設され、第１支持板１００から第２支持板２００が上向きに屈曲されることを防止する第１屈曲防止突起５００と、
【００２１】
前記第３支持板３００の上部に一定間隔で上向きに多数が突設され、第１支持板１００から第３支持板３００が上向きに屈曲されることを防止する第２屈曲防止突起６００と、を含んでなる。
【００２２】
そして、前記第１支持板１００のサイズ調節具１１０は、図５に示すように、第１支持板１００の一側に備えられた結合孔１１１と、
【００２３】
前記第１支持板１００の他側下部に第１支持板１００と一体的に突設され、中央に移送孔１１２ａが形成された締付けバンド１１２と、
【００２４】
一側が外部に開放され、前記結合孔１１１に結合されて固定される結合突起１１３ａが両側に突設された固定本体１１３と、
【００２５】
前記固定本体１１３の内部に収納され、外周面に前記締付けバンド１１２の移送孔１１２ａに結合される移送突条１１４ａが螺旋状に突設された回転ボルト１１４と、
【００２６】
前記回転ボルト１１４の上部に設けられ、回転ボルト１１４を回転させるようにする回転取っ手１１５と、を含んでなる。
【００２７】
また、前記第２支持板２００は、先端部に、着用者の親指の長さによって切断することができる切断部２２０を含み、前記第３支持板３００は、図１１に示すように、
【００２８】
中央上部に、内部が貫通されて上向きに突設されたバンドホルダ３２０と、
【００２９】
前記バンドホルダ３２０の内部に挿入され、両端が手の平と手の甲を取り囲み、ベルクロテープ３３１で固定されることにより、第３支持板３００が親指の第３区間７３０の上部から離隔しなくて密着した状態を維持するように固定する固定バンド３３０と、を含む。
【発明の効果】
【００３０】
このように構成された本発明の指圧用親指補助器具は、親指で加圧する按摩または指圧の施術の際、親指に着用され、加圧によって親指が過伸展や過外転の状態になることを防止することにより、関節と筋肉が弛緩して発生する痛症と関節の損傷を前もって防止するとともに長期間にわたって按摩や指圧を施術することができる効果がある。
【００３１】
そして、本発明は、按摩や指圧の分野で長期間にわたって按摩や指圧を施術する職業人の親指の関節、筋肉及び靭帯の痛症と損傷を防止して職業的な疾患を予防することができる効果がある。
【００３２】
また、本発明による指圧用親指補助器具は、構造が簡単で生産性を向上させることができる。
【図面の簡単な説明】
【００３３】
【図１】従来技術による指圧の施術状態を示す例示図である。
【図２】本発明による親指補助器具を示す例示図である。
【図３】本発明による親指補助器具の側面を示す例示図である。
【図４】本発明による親指補助器具の底面を示す例示図である。
【図５】本発明による親指補助器具の分解状態を示す例示図である。
【図６】は図２のＡ−Ａ’線についての断面を示す例示図である
【図７】図２のＢ−Ｂ’線についての断面を示す例示図である。
【図８】本発明による親指補助器具を親指に着用する状態を示す例示図である。
【図９】本発明による親指補助器具が親指に着用された状態を示す例示図である。
【図１０】本発明による親指補助器具が親指に着用された状態の内部を示す例示図である。
【図１１】本発明による親指補助器具の他の実施例を示す例示図である。
【図１２】本発明による親指補助器具の他の実施例に着用された状態を示す例示図であり、
【図１３】本発明による親指補助器具のさらに他の実施例を示す例示図である。
【発明を実施するための形態】
【００３４】
本発明の好適な実施例を添付図面に基づいて詳細に説明する。
【００３５】
まず、親指補助器具の第１支持板１００は、親指の第２区間７２０の上部を支持するように内周面が半円形に屈曲される。第１支持板の下部には、内部に挿入される親指の第２区間７２０の太さによって内周のサイズを調節することができるサイズ調節具が備えられ、前記サイズ調節具１１０は、第１支持板１００の一側に結合孔１１１が備えられ、前記結合孔が備えられた第１支持板１００の他側下部には、第１支持板１００と一体的に突設され、中央に移送孔１１２ａが形成された締付けバンド１１２が備えられる。
【００３６】
そして、一側が外部に開放された固定本体１１３一側には、第１支持板の一側に備えられた結合孔１１１に結合されて固定される結合突起１１３ａが両側に突設され、前記固定本体の内部には、外周面に前記締付けバンド１１２の移送孔１１２ａ結合される移送突条１１４ａが螺旋状に突設された回転ボルト１１４が結合される。
【００３７】
この際、前記回転ボルト１１４は、固定本体１１３から分離されないで回転するように結合することが好ましい。
【００３８】
そして、前記回転ボルト１１４の上部には、着用者が指で掴んで回転ボルト１１４を回転させることができるように、回転取っ手１１５が備えられる。
【００３９】
一方、第２支持板２００は第１支持板１００と一体的に第１支持板１００の先端部から一定角度（θ１）で下向きに屈曲されて前方に突設され、親指の第１区間７１０の上部を支持するように、内周面が半円形に形成され、中央に多数の固定孔２１０が形成され、第２支持板の先端部には、着用者の親指の長さによってはさみなどのような切断器具８００で切断してその長さを調節することができる切断部２２０が備えられる。
【００４０】
この際、前記第２支持板２００は、図３に示すように、第１支持板１００から下向きに約５°〜１０°の角度（θ１）で屈曲されるように実施することが好ましい。
【００４１】
そして、前記第１支持板１００と一体的に後端部に一定角度（θ２）で下向きに屈曲されて後方に突設され、親指の第３区間７３０の上部を支持するように内周面が半円形に形成され、後端部に上向きに屈曲された屈曲部３１０が形成された第３支持板３００が備える。前記第３支持板３００の中央上部には、図１１に示すように、内部が貫通され、上向きに突設されたバンドホルダ３２０が備えられ、前記バンドホルダ３２０の内部に挿入され、両端が手の平と手の甲を取り囲み、ベルクロテープ３３１で固定されることにより、第３支持板３００が親指の第３区間７３０の上部から離隔しなくて密着した状態を維持するように固定する固定バンド３３０が備えられる。
【００４２】
この際、前記第３支持板３００は、図３に示すように、第１支持板１００から約１０°〜２０°の角度（θ２）で屈曲されるように実施することが好ましい。
【００４３】
また、前記第２支持板２００の内周面には、その内周面に密着するように半円形に形成された本体４１０の中央上部に突設された固定突起４２０が第２支持板２００の中央に形成された固定孔２１０に結合されることにより、第２支持板２００の下部に固定されて按摩や指圧を施術するとき、親指の爪に加わる力が均等に分散されるようにする爪支持板４００が備えられる。
【００４４】
この際、前記爪支持板４００は、爪に力が均等に分散されるように、弾性を有するプラスチックのような材質で構成することが好ましい。
【００４５】
そして、前記第２支持板２００の上部には、図２及び図３に示すように、一定間隔で上向きに突設されて、第１支持板１００から第２支持板２００が上向きに屈曲されることを防止する多数の第１屈曲防止突起５００が備えられ、かつ前記第３支持板３００の上部に一定間隔で上向きに突設されて、第１支持板１００から第３支持板３００が上向きに屈曲されることを防止する多数の第２屈曲防止突起６００が備えられる。
【００４６】
前記のような本発明の親指補助器具は、まず按摩や指圧を施術するとき、施術者の親指に着用される。この際、図８、図９及び図１０に示すように、第１支持板１００の下部に備えられたサイズ調節具１１０の締付けバンド１１２の中央に親指を挿入して着用する。
【００４７】
前記のように第１支持板１００の締付けバンド１１２の中央に親指を挿入すれば、第１支持板１０は親指の第２区間７２０の上部に位置し、第２支持板２００は親指の第１区間７１０の上部に位置し、第３支持板３００は親指の第３区間７３０の上部に位置する。
【００４８】
そして、前記のように第１支持板１００のサイズ調節具１１０の締付けバンド１１２の中央に親指を挿入した後、着用者はサイズ調節具１１０の回転取っ手１１５を回転させる。
【００４９】
上記のように、第１支持板１００の一側に備えられた結合孔１１１に一側に突設された結合突起１１３aが結合されて固定された固定本体１１３の内部に収納されて回転される回転ボルト１１４の上部に備えられた回転取っ手１１５を一方向に回転させる。
【００５０】
上記のように着用者がサイズ調節具１１０の回転取っ手１１５を回転させれば、回転取っ手１１５の下部に結合されて、第１支持板１００の一側に備えられた結合孔１１１に一側の突設された結合突起１１３ａが結合されて固定された固定本体１１３の内部に収納された回転ボルト１１４が回転することになり、回転ボルト１１４の外周面に螺旋状に突設された移送突条１１４ａが回転ボルト１１４と同時に回転される。
【００５１】
そして、上記のように回転ボルト１１４の移送突条１１４ａが回転するにしたがい、第１支持板１００の一側下部に第１支持板１００と一体的に突設され、中央に移送孔１１２ａが形成され、一端が前記第１支持板１００と固定本体１１３の間に挿入され、移送孔１１２ａに回転ボルト１１４の移送突条１１４ａが結合された締付けバンド１１２の一側が上向きに移送される。
【００５２】
この際、前記サイズ調節具１１０の締付けバンド１１２の中央に備えられた移送孔１１２ａは回転ボルト１１５の外周面に螺旋状に突設された移送突条１１４ａと結合して上下に移送するように一側が上向きに斜めに形成することが好ましい。
【００５３】
上記のようにサイズ調節具１１０の回転ボルト１１４によって締付けバンド１１２の一側が上向きに移送されながら着用者の親指の第２区間７２０を締め付けることにより、施術者の手や指を自由に動いても補助器具が親指から抜け出ないように固定される。
【００５４】
そして、上記のように親指に補助器具を着用した後、被施術者の患部に親指の第１区間７１０の下部を密着させ、上から加圧して按摩や指圧を施術することになる。
【００５５】
このように、親指に補助器具を着用して按摩や指圧を施術すれば、図１０に示すように、親指の第１区間７１０の上部は第２支持板２００が支持し、親指の第３区間７３０の上部は第３支持板３００が支持し、親指の第２区間７２０の下部は親指の第１区間７１０と第３区間７３０の反対側でサイズ調節具１１０の締付けバンド１１２が支持することにより、二点の圧力とその反対側での一点の圧力が作用する３点圧原理（ｔｈｒｅｅ ｐｏｉｎｔ ｐｒｅｓｓｕｒｅ ｐｒｉｎｃｉｐｌｅ）によって、親指の関節と筋肉が過伸展することを防止することになる。すなわち、親指補助器具の第２支持板２００は、親指の第１区間７１０と第２区間７２０の間の第一関節７４０の最大伸展角度である０°以上に過伸展することを防止して、第３支持板３００は親指の第２区間７２０と第３区間７３０の間の第２関節７５０の最大伸展角度である１０°以上に過伸展することを防止することができるものである。
【００５６】
すなわち、按摩や指圧の際、第２支持板２００の上部に一定間隔で上向きに突設された多数の第１屈曲防止突起５００が第１支持板１００から加圧力によって上向きに屈曲される第２支持板２００の角度（θ１）が第１支持板１００と同一面になる０゜以下に屈曲されることを防止することになる、言い換えれば、前記第１支持板１００から第２支持板２００が加圧力によって上向きに屈曲されるとき、第２支持板２００の上方に突設された多数の第１屈曲防止突起５００が互いに密着することで、第１支持板１００と同一面になる０°に屈曲されることを防止して、親指の第１区間７１０と第２区間７２０が最大伸展角度である０°以上に上向きに屈曲されることを防止して親指の第一関節７４０の過伸展を防止することになる。
【００５７】
一方、第３支持板３００の上部に一定間隔で多数突設された第２屈曲防止突起６００は、前記第１屈曲防止突起５００と同様な構成と作用によって、第１支持板１００から第３支持板３００が１０°の角度（θ２）以下に屈曲されることを防止し、親指の第２区間７２０と第３区間７３０が最大伸展角度である１０°以上に屈曲されることを防止し、このように親指の第２区間７２０が過伸展して親指の第２関節７５０が過伸展することを防止することができるものである。
【００５８】
そして、被施術者の患部を加圧するとき、補助器具の第２支持板２００によって支持される親指の第１区間７１０の上部、つまり爪に加わる力は、図５〜図１０に示すように、第２支持板２００の中央に備えられた多数の固定孔２１０に本体４１０の中央上部に突設された多数の固定突起４２０が結合されて固定された爪支持板４００が爪の上部全体に密着して、第２支持板２００の先端部が爪の先端の一部にだけ密着することにより、爪の一地点に力が集中して痛症が誘発されることを防止することができる。
【００５９】
また、前記第３支持板３００の後端部に屈曲部３１０が備えられることにより、第３支持板３００の縁部が手首に密着して加圧して皮膚を損傷させるか痛症を誘発することを防止することができる。
【００６０】
一方、前記のように補助器具を親指に着用した後、図１１及び図１２に示すように、第３支持板３００の中央上部に突設されたバンドホルダ３２０の内部に挿入された固定バンド３３０の一端は手の甲に、他端は手の平に伸びる固定バンド３３０の両端に備えられたベルクロテープ３３１を利用して固定バンド３３０の両端を固定することにより、補助器具の第３支持板３００が親指の第３区間７３０の上部から離隔しなくて密着した状態を維持するとともに、手を移動するか動いても安定した着用状態を維持することができ、親指の第３区間７３０が最大外転角度である９０°以上に過外転することを防止することができる。
【００６１】
按摩や指圧が終われば、施術者は補助器具の第１支持板１００の一側に備えられたサイズ調節具１１０の回転取っ手１１５を着用の際と反対方向に回転させて締付けバンド１１２の一側を下向きに移送させて親指を締付けバンド１１２から離脱させれば、親指補助器具が親指から容易に分離される。
【００６２】
このような本発明の親指補助器具は、親指が過伸展または過外転することを防止することで、関節を保護し、筋肉の弛緩及び損傷を防止し、痛症なしに長期間にわたって按摩または指圧を施術することができる。
【００６３】
また、本発明の親指補助器具は、図１３に示すように、着用者の親指の長さまたは爪の長さが第２支持板２００の長さより短い場合、はさみなどの切断器具８００で親指の長さまたは爪の長さに合わせて、第２支持板２００の先端部に形成された切断部２２０を切断して実施することができる。
【００６４】
この際、前記のように切断器具８００で第２支持板２００の切断部２２０を切断するときには、第２支持板２００の下部に固定された爪支持板４００の先端部も一緒に切断することが好ましい。
【００６５】
一方、図面には図示しないが、本発明の実施において、親指補助器具の第１支持板１００と第３支持板３００の下面に、必要によって皮膚との接触が楽で安定になるように、不織布、織物などを付着して実施することができる。
【００６６】
そして、第３支持板３００の固定バンド３３０の両端に備えられたベルクロテープ３３１はベルクロテープ３３１に限定されるものではなく、固定バンドの両端を着脱可能に互いに固定することができる多様な方法で実施することができる。
【図１】
0004755286.tif 000002
【図２】
0004755286.tif 000003
【図３】
0004755286.tif 000004
【図４】
0004755286.tif 000005
【図５】
0004755286.tif 000006
【図６】
0004755286.tif 000007
【図７】
0004755286.tif 000008
【図８】
0004755286.tif 000009
【図９】
0004755286.tif 000010
【図１０】
0004755286.tif 000011
【図１１】
0004755286.tif 000012
【図１２】
0004755286.tif 000013
【図１３】
0004755286.tif 000014